【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
方法であって、
サービスの登録プロセス中に、コンピュータシステムが、複数の画像を提供するステップと、
前記登録プロセス中に、前記コンピュータシステムが、前記複数の画像から１つの画像の選択を受信するステップと、
前記登録プロセス中に、前記コンピュータシステムが、前記登録プロセスに参加しているモバイルデバイスの地理的位置を示す位置情報を受信するステップと、
前記コンピュータシステムが、前記複数の画像から選択された前記画像を保存するステップと、
前記コンピュータシステムが、前記位置情報を登録位置として保存するステップと、
前記コンピュータシステムが、前記サービスへのアクセス要求を前記モバイルデバイスから受信したことに応答して、
前記コンピュータシステムが、前記画像および前記登録位置を検索するステップと、
暗号化された画像を作成するために、前記登録位置を使用して前記画像を暗号化するステップとを備え、
前記暗号化するステップは、
前記コンピュータシステムが、固有のアクセスコードを生成するステップと、
前記コンピュータシステムが、前記固有のアクセスコードを前記画像に付加するステップと、
前記コンピュータシステムが、前記登録位置を使用して前記付加された固有のアクセスコードを有する前記画像を暗号化することによって、前記暗号化された画像を生成するステップとを含み、
前記コンピュータシステムが、前記暗号化された画像を前記モバイルデバイスに提供するステップをさらに備え、前記暗号化された画像は、前記モバイルデバイスが前記登録位置を使用して前記暗号化された画像を復号化することに基づいて、前記サービスへのアクセスを前記モバイルデバイスのために有効にするために使用される、方法。
【請求項２】
前記モバイルデバイスが、前記登録プロセス中に、前記モバイルデバイスの前記地理的位置を判断するステップと、
前記モバイルデバイスが、前記登録プロセス中に、前記モバイルデバイスの前記地理的位置を判断するステップに基づいて前記位置情報を提供するステップとをさらに備える、請求項１に記載の方法。
【請求項３】
前記暗号化された画像を前記モバイルデバイスにおいて受信するステップと、
前記モバイルデバイスが、前記モバイルデバイスの現在の地理的位置に基づいて前記モバイルデバイスによって判断された位置情報を使用して、前記暗号化された画像を復号化して、アクセスコードを有する復号化された画像を取得するステップと、
前記モバイルデバイスが、前記アクセスコードを有する前記復号化された画像を前記モバイルデバイスのユーザに提示するステップと、
前記モバイルデバイスが、前記アクセスコードを前記サービスに提供するステップとをさらに備える、請求項１または２に記載の方法。
【請求項４】
前記固有のアクセスコードは、ワンタイムパスワード（ＯＴＰ）、または、コンピュータと人間を区別する完全に自動化された公開チューリングテスト（ＣＡＰＴＣＨＡ）コードを備える、請求項１から３のいずれか１項に記載の方法。
【請求項５】
前記コンピュータシステムが、前記固有のアクセスコードを前記モバイルデバイスから受信するステップと、
前記コンピュータシステムが、前記モバイルデバイスのために前記サービスへのアクセスを有効にするステップとをさらに備える、請求項１から４のいずれか１項に記載の方法。
【請求項６】
システムであって、
プロセッサと、
前記プロセッサに結合されて読み取り可能であり、一組の命令を格納したメモリとを備え、
前記一組の命令は、前記プロセッサによって実行されると、前記プロセッサにプロセスを実行させ、前記プロセスは、
サービスの登録プロセス中に、複数の画像を提供するステップと、
前記登録プロセス中に、前記複数の画像から１つの画像の選択を受信するステップと、
前記登録プロセス中に、前記登録プロセスに参加しているモバイルデバイスの地理的位置を示す位置情報を受信するステップと、
前記複数の画像から選択された前記画像を保存するステップと、
前記位置情報を登録位置として保存するステップと、
前記サービスへのアクセス要求を前記モバイルデバイスから受信したことに応答して、
前記画像および前記登録位置を検索するステップと、
暗号化された画像を作成するために、前記登録位置を使用して前記画像を暗号化するステップとを備え、
前記暗号化するステップは、
固有のアクセスコードを生成するステップと、
前記固有のアクセスコードを前記画像に付加するステップと、
前記登録位置を使用して前記付加された固有のアクセスコードを有する前記画像を暗号化することによって、前記暗号化された画像を生成するステップとを含み、
前記暗号化された画像を前記モバイルデバイスに提供するステップをさらに備え、前記暗号化された画像は、前記モバイルデバイスが前記登録位置を使用して前記暗号化された画像を復号化することに基づいて、前記モバイルデバイスのために前記サービスへのアクセスを有効にするために使用される、システム。
【請求項７】
前記固有のアクセスコードは、ワンタイムパスワード（ＯＴＰ）、または、コンピュータと人間を区別する完全に自動化された公開チューリングテスト（ＣＡＰＴＣＨＡ）コードを備える、請求項６に記載のシステム。
【請求項８】
前記メモリは、さらに他の命令を格納しており、前記さらに他の命令は、前記プロセッサによって実行されると、前記プロセッサに前記プロセスを実行させ、前記プロセスは、
前記固有のアクセスコードを前記モバイルデバイスから受信するステップと、
前記モバイルデバイスのために前記サービスへのアクセスを有効にするステップとを備える、請求項６または７に記載のシステム。
【請求項９】
モバイルデバイスであって、
プロセッサと、
前記プロセッサに結合されて読み取り可能であり、一組の命令を格納したメモリとを備え、前記一組の命令は、前記プロセッサによって実行されると、前記プロセッサにプロセスを実行させ、前記プロセスは、
サービスの登録プロセス中に、複数の画像をコンピュータシステムから受信するステップと、
前記登録プロセス中に、前記複数の画像から１つの画像の選択を前記コンピュータシステムに提供するステップと、
前記登録プロセス中に、前記モバイルデバイスの地理的位置を示す位置情報を判断するステップと、
前記登録プロセス中に、前記位置情報を登録位置として前記コンピュータシステムに提供するステップと、
前記サービスへのアクセスを要求するステップと、
前記要求に応答して、固有のアクセスコードを備える暗号化された画像を前記コンピュータシステムから受信するステップとを備え、前記暗号化された画像は、前記登録位置を使用して暗号化されており、前記プロセスはさらに、
前記登録位置を使用して前記暗号化された画像を復号化することに基づいて、前記暗号化された画像を使用して、前記サービスへのアクセスを有効にするステップを備える、モバイルデバイス。
【請求項１０】
前記暗号化された画像を使用して、前記サービスへのアクセスを有効にするステップは、
前記モバイルデバイスの現在の地理的位置に基づいて前記モバイルデバイスによって判断された位置情報で、前記暗号化された画像を復号化して、アクセスコードを有する復号化された画像を生成するステップと、
前記アクセスコードを有する前記復号化された画像を前記モバイルデバイスのユーザに提示するステップと、
前記アクセスコードを前記サービスに提供するステップとを備える、請求項９に記載のモバイルデバイス。
【請求項１１】
前記固有のアクセスコードは、ワンタイムパスワード（ＯＴＰ）、または、コンピュータと人間を区別する完全に自動化された公開チューリングテスト（ＣＡＰＴＣＨＡ）コードを備える、請求項９または１０に記載のモバイルデバイス。
【請求項１２】
１つ以上のプロセッサに請求項１から５のいずれか１項に記載の方法を実行させるためのプログラム。